(57)【要約】【課題】放送システムの信頼性を向上させる送信装置を提供する。【解決手段】送信装置は、信号多重化部と、電気光変換部と、を含む。信号多重化部は、第１の放送用信号と第２の放送用信号を多重化する。電気光変換部は、当該多重化された第１及び第２の放送用信号を光信号に変換し、光信号を出力する。第１及び第２の放送用信号のそれぞれはパラレルデータであり、信号多重化部は、第１及び第２のパラレルデータを含むシリアルデータを生成して第１及び第２の放送用信号を多重化してもよい。【選択図】図１
2020170895.tif 000002
【特許請求の範囲】
【請求項１】
第１の放送用信号と第２の放送用信号を多重化する、信号多重化部と、
前記多重化された第１及び第２の放送用信号を光信号に変換し、前記光信号を出力する、電気光変換部と、
を備える、送信装置。
【請求項２】
前記第１及び第２の放送用信号のそれぞれはパラレルデータであり、
前記信号多重化部は、前記第１及び第２の放送用信号を含むシリアルデータを生成して前記第１及び第２の放送用信号を多重化する、請求項１に記載の送信装置。
【請求項３】
前記信号多重化部は、前記シリアルデータにおける前記第１及び第２の放送用信号の位置を特定するための識別信号を含め、前記シリアルデータを生成する、請求項２に記載の送信装置。
【請求項４】
前記第１の放送用信号はトランスポートストリームのためのクロックであり、前記第２の放送用信号は前記トランスポートストリームのための同期信号である、請求項１乃至３のいずれか一項に記載の送信装置。
【請求項５】
前記第１の放送用信号であるクロックのパラレルデータにおけるビット幅は、前記第２の放送用信号である同期信号のパラレルデータにおけるビット幅よりも広い、請求項４に記載の送信装置。
【請求項６】
前記トランスポートストリームを光信号に変換して出力する、送信器をさらに含む、請求項４又は５に記載の送信装置。
【請求項７】
前記トランスポートストリームはスクランブル処理が施された信号である、請求項４乃至６のいずれか一項に記載の送信装置。
【請求項８】
第１の放送用信号と第２の放送用信号が多重化された光信号を電気信号に変換する、光電気変換部と、
前記電気信号に変換された信号から前記第１及び第２の放送用信号を抽出する、抽出部と、
を備える、受信装置。
【請求項９】
前記電気信号に変換された信号はシリアルデータであり、
前記抽出部は、前記シリアルデータをパラレルデータに変換して前記第１及び第２の放送用信号を抽出する、請求項８に記載の受信装置。
【請求項１０】
前記シリアルデータには、前記シリアルデータにおける前記第１及び第２の放送用信号の位置を特定するための識別信号が含まれ、
前記抽出部は、前記識別信号を用いて前記シリアルデータから前記第１及び第２の放送用信号を抽出する、請求項９に記載の受信装置。
【請求項１１】
前記第１の放送用信号はトランスポートストリームのためのクロックであり、前記第２の放送用信号は前記トランスポートストリームのための同期信号である、請求項８乃至１０のいずれか一項に記載の受信装置。
【請求項１２】
光信号に変換された前記トランスポートストリームを受信する、受信器をさらに含む、請求項１１に記載の受信装置。
【請求項１３】
前記トランスポートストリームはスクランブル処理が施された信号である、請求項１１又は１２に記載の受信装置。
【請求項１４】
送信装置において、
第１の放送用信号と第２の放送用信号を多重化するステップと、
前記多重化された第１及び第２の放送用信号を光信号に変換し、前記光信号を出力するステップと、
を含む送信方法。
【請求項１５】
受信装置において、
第１の放送用信号と第２の放送用信号が多重化された光信号を電気信号に変換するステップと、
前記電気信号に変換された信号から前記第１及び第２の放送用信号を抽出するステップと、
を含む受信方法。
【請求項１６】
コンピュータに、
第１の放送用信号と第２の放送用信号を多重化する処理と、
前記多重化された第１及び第２の放送用信号を光信号に変換し、前記光信号を出力する処理と、
を実行させるプログラム。
【請求項１７】
コンピュータに、
第１の放送用信号と第２の放送用信号が多重化された光信号を電気信号に変換する処理と、
前記電気信号に変換された信号から前記第１及び第２の放送用信号を抽出する処理と、
を実行させるプログラム。
【発明の詳細な説明】
【技術分野】
【０００１】
本発明は、送信装置、受信装置、送信方法、受信方法及びプログラムに関する。
【背景技術】
【０００２】
デジタル放送の開始時から放送局あるいは演奏所（スタジオ）から送信所までの放送番組の伝送はＳＴＬ（Studio to Transmitter Link）装置によって行われてきた。ＳＴＬ装置は、放送番組（放送用素材）を放送ＴＳ（Transport Stream）による信号フォーマットにより送信所に送信する。
【０００３】
その際、放送局と送信所は、マイクロ波を用いて放送番組の送受信を行っている（図１３参照）。具体的には、図１３に示すように、放送局１０にマイクロ波を送信するＳＴＬ装置を設置し、当該装置から放送番組が送信所２０に送られている。ＳＴＬ装置は、６４ＱＡＭ（Quadrature Amplitude Modulation）変調器を備える。当該変調器は、放送ＴＳ（放送トランスポートストリーム）、同期信号ＦＳＹＮＣ、クロックＣＬＫを変調し、送信器を介してアンテナからマイクロ波を放射する。
【０００４】
また、送信所にもＳＴＬ装置が設置されている。当該送信所のＳＴＬ装置は、放送局から放射されたマイクロ波を受信器で受信し、６４ＱＡＭ復調器により上記変調された信号を復調する。
【０００５】
送信所のＳＴＬ装置は、ＯＦＤＭ（Orthogonal Frequency Division Multiplexing）変調器をさらに備える。当該ＯＦＤＭ変調器は、放送ＴＳ、同期信号ＦＳＹＮＣ、クロックＣＬＫを入力する。ＯＦＤＭ変調器は、ＯＦＤＭ変調された信号を送信所２０のアンテナから放送波として放射する。
【０００６】
近年では、放送ＴＳを光通信路により送信することも行われている。例えば、特許文献１には、放送局からのデジタル信号を光信号に変換して光ファイバケーブルを通して送信所に送信する、と記載されている。
【先行技術文献】
【特許文献】
【０００７】
【特許文献１】特開２００４−２８９４０５号公報
【発明の概要】
【発明が解決しようとする課題】
【０００８】
上述のように、放送システムでは、ＳＴＬ装置を用いて放送ＴＳを送信所まで伝送することが多い。ここで、放送システムの信頼性を維持していくためには、ＳＴＬ機器のメンテナンスや更新が欠かせない。このようなＳＴＬ機器の更新時には、当然のことながら更新対象のＳＴＬ装置は使用できない。そのため、ＳＴＬ機器の更新等は、放送休止期間中など限られた時間内で完了する必要がある。
【０００９】
また、放送システムの可用性を向上するためには、伝送路のバックアップ回線が要望される。上記のような事情を鑑みて、特許文献１に開示されたような放送番組の光伝送に関する技術が関心を集める。
【００１０】
ここで、放送局や演奏所から出力される信号には、少なくとも放送ＴＳ、クロック（サンプリングクロック）ＣＬＫ、フレーム同期信号ＦＳＹＮＣが存在する。
【００１１】
既存の光伝送装置でも、一種類の電気信号を光信号に変換して長距離伝送をすることは可能である。つまり、放送ＴＳ、クロックＣＬＫ、同期信号ＦＳＹＮＣの各電気信号を光信号に変換し、当該変換された光信号を送信所まで伝送することは可能である。
【００１２】
しかしながら、同期信号ＦＳＹＮＣとクロックＣＬＫは同期が取れてなければならない信号であり、これらを別々に光変換して伝送すると同期が外れる可能性がある。つまり、クロックＣＬＫ、同期信号ＦＳＹＮＣのそれぞれを個別に光変換し、当該光変換されたクロックＣＬＫ及び同期信号ＦＳＹＮＣを電気信号に復元すると、復元後のクロックＣＬＫと同期信号ＦＳＹＮＣの同期が維持できない可能性がある。
【００１３】
クロックＣＬＫ及び同期信号ＦＳＹＮＣは、放送ＴＳから作成することも可能である。例えば、放送ＴＳだけを光伝送し、当該光伝送された放送ＴＳを電気信号に復元する。その後、当該復元された放送ＴＳからクロックＣＬＫ及び同期信号ＦＳＹＮＣを生成することも可能である。
【００１４】
しかし、放送ＴＳの方式であるＤＶＢ−ＡＳＩ（Digital Video Broadcasting - Asynchronous Serial Interface）は非同期インターフェイスであるため、上記のような対応ではジッタ、ワンダといった揺らぎが生じうる。そのため、信頼性が重視される放送システムでは、放送ＴＳだけを光伝送することは積極的に行われてこなかった。
【００１５】
本発明は、放送システムの信頼性を向上させる送信装置、受信装置、送信方法、受信方法及びプログラムを提供することを主たる目的とする。
【課題を解決するための手段】
【００１６】
本発明の第１の視点によれば、第１の放送用信号と第２の放送用信号を多重化する、信号多重化部と、前記多重化された第１及び第２の放送用信号を光信号に変換し、前記光信号を出力する、電気光変換部と、を備える、送信装置が提供される。
【００１７】
本発明の第２の視点によれば、第１の放送用信号と第２の放送用信号が多重化された光信号を電気信号に変換する、光電気変換部と、前記電気信号に変換された信号から前記第１及び第２の放送用信号を抽出する、抽出部と、を備える、受信装置が提供される。
【００１８】
本発明の第３の視点によれば、送信装置において、第１の放送用信号と第２の放送用信号を多重化するステップと、前記多重化された第１及び第２の放送用信号を光信号に変換し、前記光信号を出力するステップと、を含む送信方法が提供される。
【００１９】
本発明の第４の視点によれば、受信装置において、第１の放送用信号と第２の放送用信号が多重化された光信号を電気信号に変換するステップと、前記電気信号に変換された信号から前記第１及び第２の放送用信号を抽出するステップと、を含む受信方法が提供される。
【００２０】
本発明の第５の視点によれば、コンピュータに、第１の放送用信号と第２の放送用信号を多重化する処理と、前記多重化された第１及び第２の放送用信号を光信号に変換し、前記光信号を出力する処理と、を実行させるプログラムが提供される。
【００２１】
本発明の第６の視点によれば、コンピュータに、第１の放送用信号と第２の放送用信号が多重化された光信号を電気信号に変換する処理と、前記電気信号に変換された信号から前記第１及び第２の放送用信号を抽出する処理と、を実行させるプログラムが提供される。
【発明の効果】
【００２２】
本発明の各視点によれば、放送システムの信頼性を向上させる送信装置、受信装置、送信方法、受信方法及びプログラムが、提供される。なお、本発明により、当該効果の代わりに、又は当該効果とともに、他の効果が奏されてもよい。
【図面の簡単な説明】
【００２３】
【図１】一実施形態の概要を説明するための図である。
【図２】第１の実施形態に係る放送システムの一構成例を示す図である。
【図３】第１の実施形態に係る放送局の内部構成の一例を示す図である。
【図４】第１の実施形態に係る多重信号送信器の内部構成の一例を示す図である。
【図５】第１の実施形態に係る多重信号送信器が生成するシリアル信号の一例を示す図である。
【図６】第１の実施形態に係る送信所の内部構成の一例を示す図である。
【図７】第１の実施形態に係る多重信号受信器の内部構成の一例を示す図である。
【図８】放送局から送信されるシリアル信号の一例を示す図である。
【図９】第１の実施形態に係る識別信号特定部による識別信号の通知動作を説明するための図である。
【図１０】第１の実施形態に係る多重信号送信器と多重信号受信器の動作の一例を示すシーケンス図である。
【図１１】第１の実施形態に係るスタジオ設備の内部構成の一例を示す図である。
【図１２】第１の実施形態に係るアンテナ設備の内部構成の一例を示す図である。
【図１３】放送システムの一構成例を示す図である。
【発明を実施するための形態】
【００２４】
はじめに、一実施形態の概要について説明する。なお、この概要に付記した図面参照符号は、理解を助けるための一例として各要素に便宜上付記したものであり、この概要の記載はなんらの限定を意図するものではない。なお、本明細書及び図面において、同様に説明されることが可能な要素については、同一の符号を付することにより重複説明が省略され得る。
【００２５】
一実施形態に係る送信装置１００は、信号多重化部１０１と、電気光変換部１０２と、を含む（図１参照）。信号多重化部１０１は、第１の放送用信号と第２の放送用信号を多重化する。電気光変換部１０２は、当該多重化された第１及び第２の放送用信号を光信号に変換し、光信号を出力する。
【００２６】
上記送信装置１００は、本来同期が取れている必要のあるクロックＣＬＫと同期信号ＦＳＹＮＣを１つの信号に多重化する。具体的には、送信装置１００は、上記２つの信号を含むシリアルデータを生成する。当該生成されたシリアルデータは光信号に変換され、光回線等により送信所に伝送される。送信所は、光信号として送信されたシリアルデータを受信し、当該シリアルデータに多重化された２つの信号（例えば、クロックＣＬＫ、同期信号ＦＳＹＮＣ）を抽出する。２つの信号は同じタイミングで復元されるので、２つの信号が本来備えている同期状態が維持される。即ち、同期が維持された放送用信号の送受信が光回線を介して行うことができるので、既存のＳＴＬ装置に代えて光回線を用いて放送番組を伝送する装置を使用することができる。その結果、ＳＴＬ装置の代替手段として上記送信装置１００及び対となる受信装置を用いることができ、更新時のバックアップ回線や冗長回線を構築できる。上記バックアップ回線や冗長回線は、放送システムの信頼性向上に寄与する。
【００２７】
以下に具体的な実施の形態について、図面を参照してさらに詳しく説明する。
【００２８】
［第１の実施形態］
第１の実施形態について、図面を用いてより詳細に説明する。
【００２９】
図２は、第１の実施形態に係る放送システムの一構成例を示す図である。図２を参照すると、放送システムには、放送局１０と送信所２０が含まれている。放送局１０と送信所２０は、光ファイバー等の光回線により接続されている。
【００３０】
なお、図２に示す構成は例示であって、放送局１０等の数を限定する趣旨でない。例えば、放送システムには２以上の放送局１０が含まれていてもよい。あるいは、放送局１０に代えて演奏所が放送システムに含まれていてもよい。
【００３１】
放送局１０は、放送番組を送信所２０に向けて送信する。
【００３２】
送信所２０は、放送波（例えば、地上波デジタル放送）を各家庭に向けて放射する。
【００３３】
図３は、放送局１０の内部構成の一例を示す図である。図３を参照すると、放送局１０には、スタジオ設備１１と送信装置１２が含まれる。
【００３４】
スタジオ設備１１は、放送用の映像信号、音声信号から放送用信号（放送ＴＳ、同期信号ＦＳＹＮＣ、クロックＣＬＫ）を送信装置１２に供給する。
【００３５】
スタジオ設備１１には、符号化部１１１と放送信号生成部１１２が含まれる。
【００３６】
符号化部１１１は、映像信号及び音声信号を符号化する手段である。
【００３７】
放送信号生成部１１２は、符号化された信号から放送用信号を生成する手段である。
【００３８】
例えば、放送信号生成部１１２は、符号化された信号をＭＰＥＧ２（Moving Picture Experts Group 2）圧縮する。その後、放送信号生成部１１２は、放送ＴＳ、同期信号ＦＳＹＮＣ、クロックＣＬＫを生成する。なお、放送信号生成部１１２により生成される、各種信号は同期している。
【００３９】
例えば、クロックＣＬＫには８ＭＨｚの矩形波が用いられる。但し、クロックＣＬＫの周波数を限定する趣旨ではなく他の周波数（例えば、１０ＭＨｚ）が用いられても良い。また、クロックＣＬＫは正弦波であってもよい。
【００４０】
放送信号生成部１１２により生成された放送用信号は、送信装置１２に供給される。
【００４１】
送信装置１２は、取得した放送用信号を電気信号から光信号に変換し、当該光変換された放送用信号を送信所２０に送信する。
【００４２】
送信装置１２は、ＴＳ信号送信器１２１と多重信号送信器１２２を含む。
【００４３】
ＴＳ信号送信器１２１は、放送ＴＳを取得する。ＴＳ信号送信器１２１は、放送ＴＳを電気信号から光信号に変換する。光信号に変換された放送ＴＳは、光回線を介して送信所２０に送信される。なお、ＴＳ信号送信器１２１による電気光変換は、商品化されている既存の変換装置により実現できるのでその詳細な説明を省略する。
【００４４】
多重信号送信器１２２は、クロックＣＬＫと同期信号ＦＳＹＮＣを取得する。多重信号送信器１２２は、ＴＳ信号送信器１２１と同様に、これらの信号（クロックＣＬＫ、同期信号ＦＳＹＮＣ）を電気信号から光信号に変換する。
【００４５】
その際、多重信号送信器１２２は、２種類の信号（電気信号）を１つの光信号に集約する（信号の多重化を行う）。当該集約された信号（光信号）は、光回線を介して送信所に送信される。
【００４６】
なお、図２において、放送局１０と送信所２０が１本の光ファイバケーブルで接続されている場合には、ＴＳ信号送信器１２１と多重信号送信器１２２は、それぞれ異なる波長の光信号を生成する。あるいは、放送局１０と送信所２０が２本の光ファイバケーブルにより接続されていても良いことは勿論である。
【００４７】
図４は、多重信号送信器１２２の内部構成の一例を示す図である。図４を参照すると、多重信号送信器１２２は、同期信号ＡＤ（Analog to Digital）変換部２０１と、クロックＡＤ変換部２０２と、パラレル／シリアル変換部２０３と、電気光変換部２０４と、を含んで構成される。
【００４８】
同期信号ＡＤ変換部２０１は、アナログ信号である同期信号ＦＳＹＮＣをデジタル信号に変換するためのモジュール（回路）である。例えば、同期信号ＡＤ変換部２０１は、同期信号ＦＳＹＮＣをＹビットのデジタル信号（Ｙビットのパラレルデータ）に変換する。
【００４９】
なお、図４を含む図面において、パラレルデータが供給される信号線には斜め線「／」を付して明記する。
【００５０】
クロックＡＤ変換部２０２は、アナログ信号であるクロックＣＬＫをデジタル信号に変換するためのモジュール（回路）である。例えば、クロックＡＤ変換部２０２は、クロックＣＬＫをＺビットのデジタル信号（Ｚビットのパラレルデータ）に変換する。
【００５１】
パラレル／シリアル変換部２０３は、２つの放送用信号（同期信号ＦＳＹＮＣ、クロックＣＬＫ）を多重化する手段（モジュール、回路）である。パラレル／シリアル変換部２０３は、ＡＤ変換後のパラレル信号である上記２つの放送用信号を１つのシリアル信号に多重化する。
【００５２】
パラレル／シリアル変換部２０３は、デジタル信号に変換された同期信号ＦＳＹＮＣ及びクロックＣＬＫと、識別信号と、を入力する。
【００５３】
識別信号は、パラレル／シリアル変換部２０３が出力するシリアル信号の先頭を識別するためのデジタル信号である。識別信号は、例えば、レジスタ（図示せず）に格納されたＸビットの信号である。即ち、パラレル／シリアル変換部２０３は、シリアルデータにおける上記２つの放送用信号の位置を特定するための識別信号を含めてシリアルデータを生成する。
【００５４】
パラレル／シリアル変換部２０３は、上記３つのデジタル信号（パラレル信号）を取得し、当該３つの信号に関する情報を含むシリアル信号を生成する。
【００５５】
例えば、パラレル／シリアル変換部２０３は、図５に示すようなシリアル信号を生成する。図５参照すると、パラレル／シリアル変換部２０３が生成するシリアル信号は、先頭から順に識別信号（Ｘビット）、同期信号ＦＳＹＮＣ（Ｙビット）、クロックＣＬＫ（Ｚビット）が格納されている。
【００５６】
なお、多重信号送信器１２２に供給されるクロックＣＬＫの周波数が同期信号ＦＳＹＮＣの周波数よりも高いことを考慮すれば、クロックＣＬＫに割り当てられるビット数は同期信号ＦＳＹＮＣに割り当てられるビット数よりも大きいことが望ましい。即ち、ＡＤ変換後のクロックＣＬＫのパラレルデータにおけるビット幅は、ＡＤ変換後の同期信号ＦＳＹＮＣのパラレルデータにおけるビット幅よりも広いことが望ましい。多くのビットがクロックＣＬＫに割り当てられることで、パラレル／シリアル変換部２０３は、クロックＣＬＫの変化を正確に取り込むことができる。
【００５７】
パラレル／シリアル変換部２０３が生成したシリアル信号（シリアルデータ）は、電気光変換部２０４に供給される。
【００５８】
電気光変換部２０４は、パラレル／シリアル変換部２０３から取得したシリアル信号の電気光変換を行うためのモジュール（回路）である。光信号に変換されたシリアル信号は、光回線を介して送信所２０に送信される。
【００５９】
なお、多重信号送信器１２２に含まれる各モジュールは既存の回路等を用いることができるのでその詳細な説明を省略する。例えば、電気光変換部２０４は、ＳＦＰ（Small Form-factor Pluggable transceiver）トランシーバと称される光モジュールにより実現できる。また、２つのＡＤ変換部やパラレル／シリアル変換部２０３の動作に使用するクロック信号の周波数は、クロックＣＬＫ等の周波数よりも十分高い周波数を選択すればよい。より具体的には、ナイキストの標本化定理を満たす周波数のクロック信号をパラレル／シリアル変換部２０３等の動作クロックに用いればよい。
【００６０】
図６は、送信所２０の内部構成の一例を示す図である。図６を参照すると、送信所２０には、受信装置２１とアンテナ設備２２が含まれる。
【００６１】
受信装置２１は、光回線を介して取得した放送用信号を光信号から電気信号に変換する。受信装置２１は、ＴＳ信号受信器２１１と多重信号受信器２１２を含む。
【００６２】
ＴＳ信号受信器２１１は、放送ＴＳを光信号から電気信号に変換する。電気信号に変換された放送ＴＳは、アンテナ設備２２に供給される。
【００６３】
なお、ＴＳ信号受信器２１１による光電気変換は、商品化されている既存の変換装置により実現できるのでその詳細な説明を省略する。
【００６４】
多重信号受信器２１２は、３種類の信号（識別信号、同期信号ＦＳＹＮＣ、クロックＣＬＫ）を含むシリアル信号（光信号）を取得する。多重信号受信器２１２は、上記光信号を電気信号に変換し、当該電気信号から多重化された信号（クロックＣＬＫ、同期信号ＦＳＹＮＣ）を抽出する。当該抽出された信号（電気信号；同期信号ＦＳＹＮＣ、クロックＣＬＫ）は、アンテナ設備２２に供給される。
【００６５】
アンテナ設備２２は、受信装置２１から供給された放送用信号（放送ＴＳ、同期信号ＦＳＹＮＣ、クロックＣＬＫ）に基づき放送波を生成し、アンテナ（図示せず）から当該生成した放送波を放射する。
【００６６】
アンテナ設備２２は、ＯＦＤＭ（Orthogonal Frequency Division Multiplexing）変調器２２１と送信器２２２を含む。
【００６７】
ＯＦＤＭ変調器２２１は、受信装置２１から供給される放送用信号をＯＦＤＭ変調し、送信器２２２に出力する。
【００６８】
送信器２２２は、アンテナから放送波を放射する。
【００６９】
図７は、多重信号受信器２１２の内部構成の一例を示す図である。図７を参照すると、多重信号受信器２１２は、光電気変換部３０１と、識別信号特定部３０２と、シリアル／パラレル変換部３０３と、同期信号ＤＡ（Digital to Analog）変換部３０４と、クロックＤＡ変換部３０５と、を含んで構成される。
【００７０】
光電気変換部３０１は、２つの放送用信号（同期信号ＦＳＹＮＣ、クロックＣＬＫ）が多重化された光信号を電気信号に変換する手段（モジュール、回路）である。つまり、光電気変換部３０１は、光回線から取得した光信号を電気信号に変換する。上述のように、多重信号送信器１２２はシリアルデータの光信号を送信するので、光電気変換部３０１によりシリアルデータの電気信号が識別信号特定部３０２に供給される。
【００７１】
識別信号特定部３０２は、電気信号に変換されたシリアル信号を解析し、当該シリアル信号に埋め込まれた識別信号を特定する。
【００７２】
ここで、放送局１０の多重信号送信器１２２は、３種類の信号（識別信号、同期信号ＦＳＹＮＣ、クロックＣＬＫ）を含むシリアル信号を絶え間なく送信所２０に向けて送信する。当該絶え間なく送信されるシリアル信号を模式的に示すと図８のとおりである。
【００７３】
図８を参照すると、シリアル信号に含まれる識別信号はシリアル信号が生成されるタイミング（サンプルタイミング）によらず一定値（固定値）である。対して、シリアル信号に含まれる多重信号（同期信号ＦＳＹＮＣ、クロックＣＬＫ）はシリアル信号が生成されるタイミングに応じてその値が変化する。
【００７４】
図８に示すような連続するシリアル信号を受信した多重信号受信器２１２は、受信したシリアル信号を１つのサンプルごとに分離する必要がある。例えば、図５の例では、多重信号受信器２１２は、受信したシリアル信号をＸ＋Ｙ＋Ｚビットごとに信号を分離する必要がある。
【００７５】
識別信号特定部３０２は、所定期間に受信した複数のシリアル信号において固定値が繰り返し現れる箇所を特定し、当該特定した箇所は識別信号が格納された領域であると判定する。例えば、図８の例では、３つのシリアル信号が所定期間に含まれる。識別信号特定部３０２は、当該所定期間に受信した信号（ビット列）のうち繰り返し現れる領域（図８の黒い領域）を検出する。
【００７６】
なお、放送局１０と送信所２０の間は、光信号により送信されるシリアル信号のフォーマットについて互いに同意しておく。そのため、識別信号特定部３０２は、一回のサンプリングで生成されるシリアル信号の長さ（Ｘ＋Ｙ＋Ｚビット）を予め把握している。
【００７７】
識別信号特定部３０２は、特定のタイミングにてＸビットの識別信号の抽出を試みる。Ｘビットの識別信号が抽出に失敗すれば、識別信号特定部３０２は、タイミングをずらして識別信号の抽出を試みる。Ｘビットの識別情報の抽出に成功すれば、識別信号特定部３０２は、Ｘ＋Ｙ＋Ｚビット後のシリアル信号から再びＸビットの識別信号の抽出を試みる。
【００７８】
識別信号特定部３０２は、上記のような識別信号の抽出と判定を繰り返し、所定回数以上識別信号の抽出に成功すれば、識別信号の抽出に成功したと判定する。識別信号特定部３０２は、上記識別信号の抽出に成功すると、後段のシリアル／パラレル変換部３０３にその旨を通知する。
【００７９】
識別信号特定部３０２は、任意の方法で上記通知をすれば良いが、例えば、シリアル信号に含まれる識別信号と同期して活性化するような信号を用いて通知する。例えば、識別信号特定部３０２は、図９に示すような「通知信号」を用いて、複数のシリアル信号が連続するなかで識別信号の位置を後段のシリアル／パラレル変換部３０３に通知する。
【００８０】
シリアル／パラレル変換部３０３は、電気信号に変換された信号から２つの放送用信号（同期信号ＦＳＹＮＣ、クロックＣＬＫ）を抽出する手段（モジュール、回路）である。具体的には、シリアル／パラレル変換部３０３は、シリアル信号を取得し、当該取得したシリアル信号からクロックＣＬＫと同期信号ＦＳＹＮＣを抽出する。なお、シリアル／パラレル変換部３０３は、光電気変換部３０１から直接シリアル信号を取得してもよいし、識別信号特定部３０２を介してシリアル信号を取得してもよい。
【００８１】
シリアル／パラレル変換部３０３は、識別信号特定部３０２からの通知に基づき、シリアル信号の先頭（識別信号の先頭）からＸビット後ろのＹビット分を「同期信号ＦＳＹＮＣ」として取り出す。
【００８２】
同様に、シリアル／パラレル変換部３０３は、識別信号特定部３０２からの通知に基づき、シリアル信号の先頭（識別信号の先頭）からＸ＋Ｙビット後ろのＺビット分を「クロックＣＬＫ」として取り出す。
【００８３】
上記取り出された同期信号ＦＳＹＮＣ及びクロックＣＬＫは、それぞれ、Ｙビット及びＺビットのパラレル信号である。このように、シリアル／パラレル変換部３０３は、シリアルデータをパラレルデータに変換して２つの放送用信号（同期信号ＦＳＹＮＣ、クロックＣＬＫ）を抽出する。その際、シリアル／パラレル変換部３０３は、識別信号の情報を用いてシリアルデータから２つの放送用信号を抽出する。
【００８４】
シリアル／パラレル変換部３０３は、Ｙビットの同期信号ＦＳＹＮＣを同期信号ＤＡ変換部３０４に供給する。同様に、シリアル／パラレル変換部３０３は、ＺビットのクロックＣＬＫをクロックＤＡ変換部３０５に供給する。
【００８５】
同期信号ＤＡ変換部３０４は、デジタル信号である同期信号ＦＳＹＮＣをアナログ信号に変換するためのモジュール（回路）である。
【００８６】
クロックＤＡ変換部３０５は、デジタル信号であるクロックＣＬＫをアナログ信号に変換するためのモジュール（回路）である。
【００８７】
なお、図６に示す受信装置２１は、ＴＳ信号受信器２１１が出力する放送ＴＳと多重信号受信器２１２が出力する信号（同期信号ＦＳＹＮＣ、クロックＣＬＫ）のタイミングが揃うように少なくとも一方の受信器の出力を調整する。例えば、ＴＳ信号受信器２１１の出力を遅延させる遅延回路（図示せず）がＴＳ信号受信器２１１に接続される。遅延回路の遅延量を調整することで上記タイミングは調整される。
【００８８】
あるいは、図７に示す、識別信号特定部３０２とシリアル／パラレル変換部３０３の間にバッファ回路を設け、当該バッファ回路を遅延回路として使用しても良い。
【００８９】
なお、多重信号受信器２１２に含まれる、識別信号特定部３０２、シリアル／パラレル変換部３０３を除く各モジュールは既存の回路等を用いることができるのでその詳細な説明を省略する。例えば、光電気変換部３０１は、放送局１０の電気光変換部２０４と同様に、ＳＦＰトランシーバと称される光モジュールにより実現できる。
【００９０】
また、識別信号特定部３０２は、上記説明したアルゴリズムを実装したＦＰＧＡ（Field Programmable Gate Array）等により実現できる。シリアル／パラレル変換部３０３に関しても、既存のシリアル／パラレル変換回路に上記ビット判定処理を組み込んだＦＰＧＡ等により実現できる。
【００９１】
また、２つのＤＡ変換部やシリアル／パラレル変換部３０３の動作に使用するクロック信号の周波数は、クロックＣＬＫ等の周波数よりも十分高い周波数を選択すればよい。
【００９２】
多重信号送信器１２２と多重信号受信器２１２の動作を纏めると図１０に示すシーケンス図のようになる。
【００９３】
はじめに、多重信号送信器１２２は、クロックＣＬＫ及び同期信号ＦＳＹＮＣに関するパラレル／シリアル変換を実行することで、少なくも２種類の信号が埋め込まれたシリアル信号を生成する（ステップＳ０１）。
【００９４】
多重信号送信器１２２は、当該生成されたシリアル信号を電気光変換し、光信号を多重信号受信器２１２に送信する（ステップＳ０２）。
【００９５】
このように、送信装置１２は、放送ＴＳのためのクロックＣＬＫと放送ＴＳのための同期信号を１つのシリアルデータに埋め込み、当該シリアルデータの光信号を送信所２０に向けて送信する。
【００９６】
多重信号受信器２１２は、光信号を受信する（ステップＳ１１）し、当該光信号の光電気変換を行う。
【００９７】
多重信号受信器２１２は、電気信号に変換されたシリアル信号から識別信号の特定を行う（ステップＳ１２）。当該特定は、識別信号が特定されるまで繰り返される（ステップＳ１３、Ｎｏ分岐）。
【００９８】
識別信号が特定されれば（ステップＳ１３、Ｙｅｓ分岐）、多重信号受信器２１２は、パラレル／シリアル変換及びＤＡ変換を行うことで多重化された信号（クロックＣＬＫ、同期信号ＦＳＹＮＣ）を復元する（ステップＳ１４）。
【００９９】
以上のように、放送用信号の送信側の送信装置１２は、クロックＣＬＫと同期信号ＦＳＹＮＣという２種類の電気信号を１つの信号に多重化する。具体的には、上記２つの信号はアナログ信号であるため、送信装置１２は、それぞれの電圧値を時間ごとにデジタル化し、一定間隔で２種類のデータ（パラレルデータ）をシリアルデータに変換する。その後、送信装置１２は、上記シリアルデータを電気信号から光信号に変換し、送信所２０に向けて送信する。放送用信号の受信側の受信装置２１は、光信号を一定間隔ごとに２種類の信号に分割してアナログ信号に戻す。
【０１００】
このように、送信側は、本来同期しているクロックＣＬＫと同期信号ＦＳＹＮＣを同じタイミングでデジタル信号に変換し、シリアル信号に多重化させている。当該シリアル信号に多重化されたクロックＣＬＫと同期信号ＦＳＹＮＣを復元すれば、本来の同期状態が維持される。
【０１０１】
つまり、本願開示では、クロックＣＬＫと同期信号ＦＳＹＮＣをタイミングが同じ間隔で光変換して伝送しているため、これらの同期がとれた信号を伝送することが可能となる。本願開示の送信装置１２、受信装置２１をＳＴＬ装置の代替手段として用いることで、更新時のバックアップ回線や冗長回線を構築することができる。その結果、放送システムの信頼性が向上する。
【０１０２】
［変形例］
なお、上記実施形態にて説明した放送システムの構成、動作等は例示であって、システムの構成等を限定する趣旨ではない。
【０１０３】
上記実施形態では、多重化する２つの放送用信号として同期信号ＦＳＹＮＣ、クロックＣＬＫを選択しているが、３つの放送用信号（放送ＴＳ、同期信号ＦＳＹＮＣ、クロックＣＬＫ）を含むシリアルデータが生成されてもよい。
【０１０４】
あるいは、放送波の生成に同期信号ＦＳＹＮＣを必要としないフォーマットが用いられる場合には、放送ＴＳとクロックＣＬＫが多重化され、光信号として送信所２０に伝送されてもよい。
【０１０５】
上記実施形態では、識別信号特定部３０２とシリアル／パラレル変換部３０３を別回路（別モジュール）として説明したが、識別信号特定部３０２の機能がシリアル／パラレル変換部３０３に含まれていてもよい。
【０１０６】
上記実施形態では、スタジオ設備１１にて生成される放送用信号のスクランブルについて言及していないが、スタジオ設備１１からスクランブルが施された放送用信号が送信装置１２に供給されてもよい。この場合、図１１に示すように、スタジオ設備１１にスクランブル処理部１１３が含まれていればよい。スクランブル処理部１１３は、映像信号及び音声信号をスクランブル鍵でスクランブル（暗号化）する。なお、当該スクランブル鍵による暗号化は、通常の共通鍵暗号アルゴリズムを用いればよく、例えば、ＭＵＬＴＩ２（マルチツー）暗号により暗号化する。また、受信側にもスクランブルを解除する手段を設ける。具体的には、図１２に示すように、アンテナ設備２２は、ＯＦＤＭ変調器２２１の後にスクランブルを解除するデスクランブル処理部２２３を備える。デスクランブル処理部２２３は、復号用のスクランブル鍵でデスクランブル（復号化）する。
【０１０７】
また、上記実施形態では、識別信号はＸビットの固定値である場合を説明したが、識別信号は同期信号ＦＳＹＮＣ、クロックＣＬＫの値に応じて可変する値としてもよい。例えば、識別信号特定部３０２が、シリアル信号の大きさ単位（Ｘ＋Ｙ＋Ｚビットの単位）で複数のデータを比較した際に「１」となるように識別信号を選択しても良い。より具体的には、同期信号ＦＳＹＮＣ、クロックＣＬＫ、識別信号を全て加算すると「１」になるような識別信号を生成する回路を設け、当該生成回路の出力をパラレル／シリアル変換部２０３に入力してもよい。
【０１０８】
上記実施形態にて説明した、多重信号送信器１２２や多重信号受信器２１２は、送信装置１２や受信装置２１に搭載されたコンピュータに、上記モジュールの機能に相当するプログラムを実行させることで実現されてもよい。また、当該プログラムは、コンピュータが読み取り可能な記憶媒体に記録することができる。記憶媒体は、半導体メモリ、ハードディスク、磁気記録媒体、光記録媒体等の非トランジェント（non-transitory）なものとすることができる。即ち、本発明は、コンピュータプログラム製品として具現することも可能である。また、上記プログラムは、ネットワークを介してダウンロードするか、あるいは、プログラムを記憶した記憶媒体を用いて、更新することができる。さらに、上記処理モジュールは、半導体チップにより実現されてもよい。
【０１０９】
上記の説明により、本発明の産業上の利用可能性は明らかであるが、本発明は、テレビ放送の分野において好適に適用可能である。本発明は、とりわけ、放送局やから送信所（親局）へ信号を伝送する伝送装置、あるいは、送信所から中継局および中継局から中継局への信号の伝送する伝送装置に好適に適用可能である。
【０１１０】
上記の実施形態の一部又は全部は、以下の付記のようにも記載され得るが、以下には限られない。
［付記１］
第１の放送用信号と第２の放送用信号を多重化する、信号多重化部（１０１、２０３）と、
前記多重化された第１及び第２の放送用信号を光信号に変換し、前記光信号を出力する、電気光変換部（１０２、２０４）と、
を備える、送信装置。
［付記２］
前記第１及び第２の放送用信号のそれぞれはパラレルデータであり、
前記信号多重化部（１０１、２０３）は、前記第１及び第２の放送用信号を含むシリアルデータを生成して前記第１及び第２の放送用信号を多重化する、付記１に記載の送信装置。
［付記３］
前記信号多重化部（１０１、２０３）は、前記シリアルデータにおける前記第１及び第２の放送用信号の位置を特定するための識別信号を含め、前記シリアルデータを生成する、付記２に記載の送信装置。
［付記４］
前記第１の放送用信号はトランスポートストリームのためのクロックであり、前記第２の放送用信号は前記トランスポートストリームのための同期信号である、付記１乃至３のいずれか一つに記載の送信装置。
［付記５］
前記第１の放送用信号であるクロックのパラレルデータにおけるビット幅は、前記第２の放送用信号である同期信号のパラレルデータにおけるビット幅よりも広い、付記４に記載の送信装置。
［付記６］
前記トランスポートストリームを光信号に変換して出力する、送信器（１２１）をさらに含む、付記４又は５に記載の送信装置。
［付記７］
前記トランスポートストリームはスクランブル処理が施された信号である、付記４乃至６のいずれか一つに記載の送信装置。
［付記８］
第１の放送用信号と第２の放送用信号が多重化された光信号を電気信号に変換する、光電気変換部（３０１）と、
前記電気信号に変換された信号から前記第１及び第２の放送用信号を抽出する、抽出部（３０３）と、
を備える、受信装置。
［付記９］
前記電気信号に変換された信号はシリアルデータであり、
前記抽出部（３０３）は、前記シリアルデータをパラレルデータに変換して前記第１及び第２の放送用信号を抽出する、付記８に記載の受信装置。
［付記１０］
前記シリアルデータには、前記シリアルデータにおける前記第１及び第２の放送用信号の位置を特定するための識別信号が含まれ、
前記抽出部（３０３）は、前記識別信号を用いて前記シリアルデータから前記第１及び第２の放送用信号を抽出する、付記９に記載の受信装置。
［付記１１］
前記第１の放送用信号はトランスポートストリームのためのクロックであり、前記第２の放送用信号は前記トランスポートストリームのための同期信号である、付記８乃至１０のいずれか一つに記載の受信装置。
［付記１２］
光信号に変換された前記トランスポートストリームを受信する、受信器（２１１）をさらに含む、付記１１に記載の受信装置。
［付記１３］
前記トランスポートストリームはスクランブル処理が施された信号である、付記１１又は１２に記載の受信装置。
［付記１４］
送信装置において、
第１の放送用信号と第２の放送用信号を多重化するステップと、
前記多重化された第１及び第２の放送用信号を光信号に変換し、前記光信号を出力するステップと、
を含む送信方法。
［付記１５］
受信装置において、
第１の放送用信号と第２の放送用信号が多重化された光信号を電気信号に変換するステップと、
前記電気信号に変換された信号から前記第１及び第２の放送用信号を抽出するステップと、
を含む受信方法。
［付記１６］
コンピュータに、
第１の放送用信号と第２の放送用信号を多重化する処理と、
前記多重化された第１及び第２の放送用信号を光信号に変換し、前記光信号を出力する処理と、
を実行させるプログラム。
［付記１７］
コンピュータに、
第１の放送用信号と第２の放送用信号が多重化された光信号を電気信号に変換する処理と、
前記電気信号に変換された信号から前記第１及び第２の放送用信号を抽出する処理と、
を実行させるプログラム。
なお、付記１４〜付記１７の形態は、付記１や付記８の形態と同様に、付記２〜付記７の形態や付記９〜付記１３の形態に展開することが可能である。
【０１１１】
以上、本発明の実施形態を説明したが、本発明はこれらの実施形態に限定されるものではない。これらの実施形態は例示にすぎないということ、及び、本発明のスコープ及び精神から逸脱することなく様々な変形が可能であるということは、当業者に理解されるであろう。
【符号の説明】
【０１１２】
１０  放送局
１１  スタジオ設備
１２、１００  送信装置
２０  送信所
２１  受信装置
２２  アンテナ設備
１０１  信号多重化部
１０２、２０４  電気光変換部
１１１  符号化部
１１２  放送信号生成部
１１３  スクランブル処理部
１２１  ＴＳ信号送信器
１２２  多重信号送信器
２０１  同期信号ＡＤ変換部
２０２  クロックＡＤ変換部
２０３  パラレル／シリアル変換部
２１１  ＴＳ信号受信器
２１２  多重信号受信器
２２１  ＯＦＤＭ変調器
２２２  送信器
２２３  デスクランブル処理部
３０１  光電気変換部
３０２  識別信号特定部
３０３  シリアル／パラレル変換部
３０４  同期信号ＤＡ変換部
３０５  クロックＤＡ変換部
【図１】
2020170895.tif 000003
【図２】
2020170895.tif 000004
【図３】
2020170895.tif 000005
【図４】
2020170895.tif 000006
【図５】
2020170895.tif 000007
【図６】
2020170895.tif 000008
【図７】
2020170895.tif 000009
【図８】
2020170895.tif 000010
【図９】
2020170895.tif 000011
【図１０】
2020170895.tif 000012
【図１１】
2020170895.tif 000013
【図１２】
2020170895.tif 000014
【図１３】
2020170895.tif 000015